(57)【要約】【課題】端子と配電部材とを接続する際、極性を逆に接続することを確実に防止できる電子部品および電源装置を提供する。【解決手段】電子部品として例示した、電解コンデンサ１において、封口端子板２に設けた陰極端子４０および陽極端子のうち、陰極端子４０の環状上端面４６のみに丸穴４１を形成する一方、陰極端子４０に接続するバスバー１５には、丸穴４１に嵌合する突起１５０を形成しておく。従って、バスバー１５については、陽極端子に重ねることが不可能であるため、極性を逆に接続することを確実に防止することができる。【選択図】図６
2008010493.tif 000002
【特許請求の範囲】
【請求項１】
ねじ穴が開口する陽極端子と陰極端子が固着された電子部品において、
前記陽極端子の上面または／および前記陰極端子の上面には、陽極用と陰極用とを識別するための凹部または／および凸部からなる極性判別部が形成されていることを特徴とする電子部品。
【請求項２】
前記陽極端子と前記陰極端子が同一サイズで点対称位置に形成されていることを特徴とする請求項１に記載の電子部品。
【請求項３】
前記極性判別部は、前記陽極端子の上面および前記陰極端子の上面のうちの一方のみに形成されていることを特徴とする請求項１または２に記載の電子部品。
【請求項４】
前記極性判別部は、前記ねじ穴を囲む環状の上端面に形成された穴または溝により構成されていることを特徴とする請求項１乃至３の何れか一項に記載の電子部品。
【請求項５】
請求項１乃至４の何れか一項に記載の電子部品を備えた電源装置であって、
前記陽極端子の上面および前記陰極端子の上面に陽極用および陰極用の配電部材が各々、ねじ止めされており、
前記配電部材には、該配電部材が接続される端子に形成された前記極性判別部に嵌合可能な嵌合部が形成されており、前記配電部材は、前記陽極端子および前記陰極端子のうち、所定の端子に対してのみ接続可能であることを特徴とする電源装置。
【発明の詳細な説明】
【技術分野】
【０００１】
本発明は、端子にバスバー等の配電部材がねじ止めされる電子部品に関するものである。
【背景技術】
【０００２】
ねじ穴が形成された電極端子を有する各種の電子部品のうち、大形の電解コンデンサでは、コンデンサ素子がコンデンサケースに収納されており、コンデンサケースの開口部には、図８（ａ）、（ｂ）に示す封口端子板２が固定されている。
この封口端子板２では、上面でねじ穴４５、５５が開口する陰極端子４０および陽極端子５０が固着されており、陰極端子４０および陽極端子５０にはバスバー等の配電部材が各々、ねじ止めされる。
ここで、陰極端子４０および陽極端子５０は同一の構成をもって点対称位置に配置されているため、見分けにくいので、陰極端子４０および陽極端子５０に配電部材を接続する
際には、電解コンデンサの胴部等に付された極性表示を見ながら接続作業が行われる。
このため、極性表示の見落とし等の人為的なミスにより極性を誤って配電部材が接続されることがあり、このようなミスは、電解コンデンサのパンク等の重大な不具合を発生させることになる。
【０００３】
そこで、陰極端子４０と陽極端子５０において、ねじ穴４５、５５の締め付け方向を逆にして極性の反転を阻止する構成や、陰極端子４０と陽極端子５０の径を変えた構成が提案されている（特許文献１、２参照）。
【特許文献１】特開２０００−２１６０５７号公報
【特許文献２】特開２００１−３５７４５号公報
【発明の開示】
【発明が解決しようとする課題】
【０００４】
しかしながら、上記特許文献１、２に開示の構成でも、極性を逆にした配電部材を接続することが可能であるため、人為的なミスを完全に防止することはできないという問題点がある。
【０００５】
以上の問題点に鑑みて、本発明の課題は、端子と配電部材とを接続する際、極性を逆に接続することを確実に防止できる電子部品および電源装置を提供することにある。
【課題を解決するための手段】
【０００６】
上記課題を解決するために、本発明では、ねじ穴が開口する陽極端子と陰極端子が固着された電子部品において、前記陽極端子の上面または／および前記陰極端子の上面には、陽極用と陰極用とを識別するための凹部または／および凸部からなる極性判別部が形成されていることを特徴とする。
【０００７】
本発明に係る電子部品を備えた電源装置では、前記陽極端子の上面および前記陰極端子の上面に陽極用および陰極用の配電部材が各々、ねじ止めされており、前記配電部材には、該配電部材が接続される端子に形成された前記極性判別部に嵌合可能な嵌合部が形成されており、前記配電部材は、前記陽極端子および前記陰極端子のうち、所定の端子に対してのみ接続可能であることを特徴とする。
【０００８】
本発明に係る電子部品では、陽極端子の上面または／および陰極端子の上面には、陽極用と陰極用とを識別するための凹部または／および凸部からなる極性判別部が形成され、配電部材には、上記極性判別部に嵌合可能な嵌合部が形成されている。
従って、陽極端子および／または陰極端子の極性判別部と配線部材の嵌合部とが機械的に嵌合するため、極性が逆に配電部材を接続することが不可能な構造になっている。このため、端子と配電部材とを接続する際、極性を逆に接続することを確実に防止することができる。
【０００９】
本発明は、前記封口端子板において、前記陽極端子と前記陰極端子が同一サイズで点対称位置に形成されている場合に適用すると効果的である。
【００１０】
本発明において、前記極性判別部は、前記陽極端子の上面および前記陰極端子の上面のうちの一方のみに形成されているのが好ましい。
【００１１】
本発明において、前記極性判別部は、例えば、前記ねじ穴を囲む環状の上端面に形成された穴または溝により構成されている。
【発明の効果】
【００１２】
本発明では、陽極端子および／または陰極端子の極性判別部と機械的に嵌合する嵌合部が形成された配線部材のみが接続され、極性が逆に配電部材を接続することが不可能な構造になっている。このため、端子と配電部材とを接続する際、極性を逆に接続することを確実に防止することができる。
【発明を実施するための最良の形態】
【００１３】
図面を参照して、本発明の実施の形態を説明する。なお、以下の説明においては、電子部品の例として電解コンデンサを挙げ、図８を参照して説明した電解コンデンサとの対応関係が明確となるように、図８に示す各要素と共通する要素については同一の符号を付して説明する。
【００１４】
（全体構成）
図１は、本発明を適用した電解コンデンサの部分断面図である。
図２（ａ）、（ｂ）は、本発明を適用した電解コンデンサに用いたコンデンサ素子の説明図、およびその組み立て方法を示す説明図である。
【００１５】
図１および図２（ａ）、（ｂ）に示すように、電解コンデンサ１では、陰極箔６と陽極箔７とをセパレータ８を介して巻回したコンデンサ素子４が用いられており、このコンデンサ素子４は、電解液が含浸された状態でコンデンサケース５に収納されている。
コンデンサケース５は、有底筒状のアルミニウムケースであり、その開口部には、コンデンサケース５に対するカーリング加工により封口端子板２が固定されている。なお、コンデンサケース５と封口端子板２との間にはＯリング１８が配置されている。また、コンデンサケース５の内部にはポリプロプレン等の素子固定材が充填されている。
【００１６】
封口端子板２は、ＰＰ（ポリプロピレン）、ＰＰＳ（ポリフェニレンスルフィド）、ＰＯＭ（ポリオキシメチレン）等の樹脂板に対してアルミニウムや鉄等からなる陰極端子４０および陽極端子５０が固着された構造になっており、陰極端子４０の内側端部には、陰極箔６から引き出されたリードタブ３が加締や溶接等の方法で接続されている。また、陽極端子５０の内側端部には、陽極箔７から引き出されたリードタブ３が加締や溶接等の方法で接続されている。
このような陰極端子４０および陽極端子５０とリードタブ３との接続部分は、コーティング材１９で覆われている。また、陰極端子４０および陽極端子５０は、上下方向の略中央部分で拡径したフランジ部を有しており、陰極端子４０および陽極端子５０の固定強度や気密性を高めている。また、封口端子板２には防爆弁９が形成されている。
【００１７】
なお、コンデンサケース５の胴部には２枚の絶縁スリーブ１１、１２が被せられており、２枚の絶縁スリーブ１１、１２のうち、外側の絶縁スリーブ１２には、陰極端子４０の位置を示すことを目的に、後述する極性表示が印刷されている。
【００１８】
（封口端子板の構成）
図３（ａ）、（ｂ）、（ｃ）は、本形態の電解コンデンサに用いた封口端子板の側面図、平面図、および陰極端子の拡大平面図である。
【００１９】
図３（ａ）、（ｂ）、（ｃ）に示すように、本形態の電解コンデンサ１において、封口端子板２では、陰極端子４０および陽極端子５０が同一のサイズで点対称位置に配置されており、陰極端子４０の上面および陽極端子５０の上面のいずれにも、バスバー等の配電部材をねじ固定するためのねじ穴４５、４６が形成されている。ここで、ねじ穴４５、４６は、同一サイズである。
【００２０】
本形態では、陰極端子４０においてねじ穴４５を囲む環状上端面４６には、陽極端子５０が位置する側とは反対側位置に、内径寸法がＤで深さ寸法がＬの小さな丸穴４１（凹部／極性判別部）が形成されている。これに対して、陽極端子５０においてねじ穴５５を囲む環状上端面には、凹凸が一切形成されていない。
【００２１】
（電源装置の構成）
図４（ａ）、（ｂ）、（ｃ）は、本発明を適用した電解コンデンサを用いたコンデンサバンク（電源装置）の構成を示す平面図、側面図および底面図である。
図５（ａ）、（ｂ）は、本発明を適用した電解コンデンサの陰極端子に陰極用のバスバーを重ねる様子を横方向からみた説明図、および電解コンデンサの陰極端子に陰極用のバスバーを重ねた状態を横方向からみた説明図であり、
図５（ａ）は、図５（ｂ）に点線で囲んだ円形領域Ａに対応する。
図６（ａ）、（ｂ）、（ｃ）、（ｄ）は、本発明を適用したコンデンサバンクに用いた陰極用のバスバーの底面図、バスバーの側面図、陰極端子の平面図、および陰極端子の側面図である。
【００２２】
図４（ａ）、（ｂ）、（ｃ）に示すように、本形態の電解コンデンサ１を複数、用いてコンデンサバンク等の電源装置を構成する場合には、電解コンデンサ１の上面側において、陽極用のバスバー１４（配電部材）を各電解コンデンサ１の陽極端子５０の上面に重ね、この状態で、ねじ１３によって、陽極端子５０とバスバー１４とを固定する。
また、電解コンデンサ１の上面側において、陰極用のバスバー１５を各電解コンデンサ１の陰極端子４０の上面に重ね、この状態で、ねじ１３によって、陰極端子４０とバスバー１５とを固定する。このような接続を行う際、電解コンデンサ１の外側の絶縁スリーブ１２には、陰極端子４０の位置を示す極性表示１２０が印刷されているので、この極性表示１２０を見て極性の判別を行う。
【００２３】
本形態では、陽極用のバスバー１４は、下面が平坦な板材である。これに対して、陰極用のバスバー１５の下面には、図５（ａ）および図６（ａ）、（ｂ）、（ｃ）、（ｄ）に示すように、陰極端子４０の丸穴４１に重なる位置に丸穴４１に嵌合可能な丸棒状の突起１５０（嵌合部）が形成されており、この突起の外形寸法は略Ｄであり、長さ寸法は約Ｌである。
このため、図５（ｂ）に示すように、陰極用のバスバー１５は、陰極端子４０の上面に重なることは可能であるが、陰極用のバスバー１５を、誤って陽極端子５０の上面に重ねても、突起１５０が陽極端子５０の上面と干渉し、重ねることが不可能である。
【００２４】
（本形態の主な効果）
以上説明したように、本形態の電解コンデンサ１では、陰極端子４０の上面には、陽極用と陰極用とを識別するための丸穴４１（凹部）からなる極性判別部が形成されている一方、陰極用のバスバー１５には、丸穴４１に嵌合可能な突起１５０からなる嵌合部を形成しているため、陰極用のバスバー１５は、陰極端子４０の上面に重なることは可能であるが、陽極端子５０の上面に重ねることが不可能である。
それ故、陰極端子４０および陽極端子５０にバスバー１４、１５を接続する際、人為的なミスで極性を逆に接続することを確実に防止することができる。
【００２５】
［その他の実施の形態］
上記実施の形態では、陰極端子４０に丸穴４１（極性判別部）を形成し、陰極用のバスバー１５に丸棒状の突起１５０（嵌合部）を形成したが、図７（ａ）〜（ｄ）に示すように、陰極端子４０に対して環状上端面４６を横切る溝４２（極性判別部）を幅寸法がｄ、深さ寸法がＬのサイズに形成し、陰極用のバスバー１５に幅寸法が略ｄで長さ寸法が略Ｌの板状の突起１５１（嵌合部）を形成してもよい。
【００２６】
また、上記形態では、陰極端子４０に極性判別部を形成したが、陽極端子５０に対して極性判別部を形成してもよい。さらに、陰極端子４０および陽極端子５０の各々に形態の相違する極性判別部を形成してもよい。
【００２７】
さらに、上記形態では、端子の側に凹部からなる極性判別部を形成する一方、バスバーの側に突起からなる嵌合部を形成したが、端子の側に凸部からなる極性判別部を形成する一方、バスバーの側に穴や溝等の凹部からなる嵌合部を形成してもよい。
【００２８】
［耐振性能の評価結果］
図６（ａ）〜（ｄ）を参照して説明した本発明に係る封口端子板２を用いた電解コンデンサ１と、図７（ａ）〜（ｄ）に示した本発明に係る封口端子板２を用いた電解コンデンサ１と、図８（ａ）、（ｂ）に示した従来の封口端子板２を用いた電解コンデンサ１について量産試作を行ったところ、図６（ａ）〜（ｄ）、および図７（ａ）〜（ｄ）に示した本発明に係る封口端子板２を用いた電解コンデンサ１では、極性を逆に接続するというミスは発生しなかったが、図８（ａ）、（ｂ）に示した従来の封口端子板２を用いた電解コンデンサ１では、極性を逆に接続するというミスを完全に防止することが不可能であった。
また、図６（ａ）〜（ｄ）に示す封口端子板２と、図７（ａ）〜（ｄ）に示す封口端子板２とを比較したところ、図６（ａ）〜（ｄ）に示す封口端子板２の方が端子強度が大であるという結果が得られた。
【００２９】
なお、本発明は電解コンデンサに限定されるものではなく、電気二重層コンデンサ、電池等極性や取付方向を有する電子部品に採用することができ、実施例と同等の効果が得られるのはいうまでもない。
さらに、本発明の電源装置としてコンデンサバンクについて述べたが、本発明はこれに限定されるものではなく、インバータ回路を有する電源装置における平滑用コンデンサの接続等に用いることができることはいうまでもない。
【図面の簡単な説明】
【００３０】
【図１】本発明を適用した電解コンデンサの部分断面図である。
【図２】（ａ）、（ｂ）は、電解コンデンサに用いたコンデンサ素子の説明図、およびその組み立て方法を示す説明図である。
【図３】（ａ）、（ｂ）、（ｃ）は、本発明を適用した電解コンデンサに用いた封口端子板の側面図、平面図、および陰極端子の拡大平面図である。
【図４】（ａ）、（ｂ）、（ｃ）は、本発明を適用した電解コンデンサを用いたコンデンサバンク（電源装置）の構成を示す平面図、側面図および底面図である。
【図５】（ａ）、（ｂ）は、本発明を適用した電解コンデンサの陰極端子に陰極用のバスバーを重ねる様子を横方向からみた説明図、および電解コンデンサの陰極端子に陰極用のバスバーを重ねた状態を横方向からみた説明図である。
【図６】（ａ）、（ｂ）、（ｃ）、（ｄ）は、本発明を適用したコンデンサバンクに用いた陰極用のバスバーの底面図、側面図、陰極端子の平面図、および陰極端子の側面図である。
【図７】（ａ）、（ｂ）、（ｃ）、（ｄ）は、本発明を適用した別のコンデンサバンクに用いた陰極用のバスバーの底面図、側面図、陰極端子の平面図、および陰極端子の側面図である。
【図８】（ａ）、（ｂ）は、従来の電解コンデンサに用いた封口端子板の側面図および平面図である。
【符号の説明】
【００３１】
１  電解コンデンサ
２  封口端子板
３  リードタブ
４  コンデンサ素子
５  コンデンサケース
６  陰極箔
７  陽極箔
８  セパレータ
９  防爆弁
１１  絶縁スリーブ（内側）
１２  絶縁スリーブ（外側）
１３  ねじ
１４  バスバー（陽極用）
１５  バスバー（陰極用）
１７  バンド
１８  Ｏリング
１９  コーティング材
４０  陰極端子
４１  丸穴（凹部／極性判別部）
４２  溝（凹部／極性判別部）
４５、５５  ねじ穴
４６  環状上端面
５０  陽極端子
１２０  陰極極性表示
１５０、１５１  突起（嵌合部）
【図１】
2008010493.tif 000003
【図２】
2008010493.tif 000004
【図３】
2008010493.tif 000005
【図４】
2008010493.tif 000006
【図５】
2008010493.tif 000007
【図６】
2008010493.tif 000008
【図７】
2008010493.tif 000009
【図８】
2008010493.tif 000010